(57)【特許請求の範囲】
【請求項１】
複数のコンテンツ再生装置が接続可能な複数の入力端子と、
複数のコンテンツ再生装置の中から１つのコンテンツ再生装置を選択するセレクタ部と、
実行可能な１又は複数のコマンドの情報が格納されているコマンド情報記憶部と、
前記セレクタ部によってコンテンツ再生装置が選択されたとき、選択されたコンテンツ再生装置に格納されており、選択されたコンテンツ再生装置が実行可能な１又は複数のコマンドの情報を、選択されたコンテンツ再生装置から取得するコマンド情報取得手段と、
前記コマンド情報記憶部に格納されているコマンドの情報と、前記コマンド情報取得手段によって取得されたコマンドの情報とを対比して、双方に共通する１又は複数のコマンドの情報を抽出し、管理する共通コマンド管理手段と、
ユーザ操作に応じてコマンドが入力されたとき、入力されたコマンドが、前記共通コマンド管理手段によって管理されている前記共通の１又は複数のコマンドであるか否かを判断する判断手段と、
入力されたコマンドが、前記共通コマンド管理手段によって管理されている前記共通の１又は複数のコマンドではないと判断された場合、入力されたコマンドでは選択されたコンテンツ再生装置に処理を実行させることができないことをユーザに告知する告知手段とを備える、コマンド情報告知装置。
【請求項２】
前記告知手段が、前記共通コマンド管理手段によって管理されている前記共通の１又は複数のコマンドの情報を表示部に表示させる、請求項１に記載のコマンド情報告知装置。
【請求項３】
前記告知手段が、前記共通コマンド管理手段によって管理されている前記共通の１又は複数のコマンドの情報をリモコン送信機に供給し、前記リモコン送信機においてユーザに告知させる、請求項１または２に記載のコマンド情報告知装置。
【請求項４】
請求項１〜３のいずれかに記載のコマンド情報告知装置の各手段をコンピュータに実行させる、コマンド情報告知プログラム。
【発明の詳細な説明】
【技術分野】
【０００１】
本発明は、コマンド情報告知装置及びそのプログラムに関する。
【背景技術】
【０００２】
ＡＶアンプには、ブルーレイディスクプレーヤ（以下、ブルーレイプレーヤという。）、ＤＶＤプレーヤ、ＣＤプレーヤ等の複数のコンテンツ再生装置が接続可能である。コンテンツ再生装置は、映像データ及び／又は音声データ等のコンテンツデータを再生し、ＡＶアンプに供給する。ＡＶアンプは、コンテンツ再生装置から受信した音声データに増幅処理等の音声処理を実行し、外部接続されるスピーカーから音声を出力する。また、ＡＶアンプは、コンテンツ再生装置から受信した映像データを外部接続されるディスプレイ装置に供給し、映像を表示させる。
【０００３】
ＡＶアンプには、リモコン送信機が付属している。また、ＡＶアンプの筐体には操作ボタンが設けられている。ユーザ操作によって、リモコン送信機に設けられた操作ボタンが操作される、又は、ＡＶアンプの筐体に設けられた操作ボタンが操作されると、ＡＶアンプのマイコンには操作されたボタンに応じたコマンドが供給される。ＡＶアンプのマイコンは、供給されたコマンドに応答して、所定の処理を実行する。また、ＡＶアンプのマイコンは、供給されたコマンドに応答して、接続されているコンテンツ再生装置に通信ラインを介してコマンドを送信する。コンテンツ再生装置は、ＡＶアンプから供給されたコマンドに応答して、所定の処理を実行する。すなわち、ユーザは、ＡＶアンプのリモコン又は操作ボタンによって、ＡＶアンプだけではなく、ＡＶアンプに接続されているコンテンツ再生装置をも制御することができる。
【０００４】
しかし、ＡＶアンプに接続されているコンテンツ再生装置の種類によって、ＡＶアンプから供給されるコマンドに応じて、処理を実行できるものや、処理を実行できないものが存在する。例えば、「再生」、「停止」等のコマンドに対しては、ブルーレイプレーヤおよびＣＤプレーヤの両方が処理を実行することができるが、「決定」、「戻る」、「設定」等のコマンドに対しては、ブルーレイプレーヤは処理を実行することができるが、ＣＤプレーヤは処理を実行することができない等である。しかし、ユーザは、どのコンテンツ再生装置に対してどのコマンドが有効に機能するかを、取扱説明書を確認しないと知ることができず、場合によっては、取扱説明書に明記されていないこともある。従って、操作に対するユーザの理解が困難になる。また、コンテンツ再生装置が処理を実行しないコマンドに対応するボタンをユーザが操作し、コンテンツ再生装置が処理を実行しない場合に、ＡＶアンプ、コンテンツ再生装置およびリモコン送信機のいずれかが故障しているとユーザが誤解してしまう可能性がある。
【先行技術文献】
【特許文献】
【０００５】
【特許文献１】特開２００５−３４１１９０号公報
【発明の概要】
【発明が解決しようとする課題】
【０００６】
本発明は上記従来の課題を解決するためになされたものであり、その目的は、コンテンツ再生装置が処理を実行することができるコマンドをユーザが容易に認識することができるコマンド情報告知装置を提供することである。
【課題を解決するための手段】
【０００７】
本発明の好ましい実施形態によるコマンド情報告知装置は、複数のコンテンツ再生装置が接続可能な複数の入力端子と、複数のコンテンツ再生装置の中から１つのコンテンツ再生装置を選択するセレクタ部と、実行可能な１又は複数のコマンドの情報が格納されているコマンド情報記憶部と、前記セレクタ部によってコンテンツ再生装置が選択されたとき、選択されたコンテンツ再生装置に格納されており、選択されたコンテンツ再生装置が実行可能な１又は複数のコマンドの情報を、選択されたコンテンツ再生装置から取得するコマンド情報取得手段と、前記コマンド情報記憶部に格納されているコマンドの情報と、前記コマンド情報取得手段によって取得されたコマンドの情報とを対比して、双方に共通する１又は複数のコマンドの情報を抽出し、管理する共通コマンド管理手段と、ユーザ操作に応じてコマンドが入力されたとき、入力されたコマンドが、前記共通コマンド管理手段によって管理されている前記共通の１又は複数のコマンドであるか否かを判断する判断手段と、入力されたコマンドが、前記共通コマンド管理手段によって管理されている前記共通の１又は複数のコマンドではないと判断された場合、入力されたコマンドでは選択されたコンテンツ再生装置に処理を実行させることができないことをユーザに告知する告知手段とを備える。
【０００８】
選択されたセレクタに対応するコンテンツ再生装置が実行可能なコマンドがユーザに告知されるので、ユーザは、コンテンツ再生装置が処理を実行することができるコマンドを容易に認識することができる。また、セレクタが変更される毎に告知されるコマンドの情報が変更されるので、誤ったコマンドを入力することを防止できる。選択されたセレクタに対応するコンテンツ再生装置が処理を実行できないコマンドが入力された場合に、入力されたコマンドではコンテンツ再生装置が処理を実行できないことをユーザに告知するので、入力されたコマンドが誤っているのであって、機器が故障しているのではないことをユーザに認識させることができる。
【０００９】
好ましい実施形態においては、前記告知手段が、前記共通コマンド管理手段によって管理されている前記共通の１又は複数のコマンドの情報を表示部に表示させる。
【００１０】
好ましい実施形態においては、前記告知手段が、前記共通コマンド管理手段によって管理されている前記共通の１又は複数のコマンドの情報をリモコン送信機に供給し、前記リモコン送信機においてユーザに告知させる。
【発明の効果】
【００１３】
コンテンツ再生装置が処理を実行することができるコマンドをユーザが容易に認識することができるコマンド情報告知装置を提供することができる。
【図面の簡単な説明】
【００１４】
【図１】本発明の好ましい実施形態によるＡＶアンプ１、コンテンツ再生装置を示すブロック図である。
【図２】本発明の好ましい実施形態によるＡＶアンプ１、リモコン送信機４０の外観図である。
【図３】ＡＶアンプ１に格納されているコマンドリストを示す図である。
【図４】表示部に表示される告知画面を示す図である。
【図５】ブルーレイプレーヤ２０に格納されているコマンドリストを示す図である。
【図６】ＣＤプレーヤ３０に格納されているコマンドリストを示す図である。
【図７】ＡＶアンプ１とブルーレイプレーヤ２０とで共通のコマンドを示す図である。
【図８】ＡＶアンプ１とＣＤプレーヤ３０とで共通のコマンドを示す図である。
【図９】ＡＶアンプ１、および、コンテンツ再生装置の処理を示すフローチャートである。
【図１０】ＡＶアンプ１の処理を示すフローチャートである。
【図１１】ＡＶアンプ１、および、コンテンツ再生装置の処理を示すフローチャートである。
【発明を実施するための形態】
【００１５】
以下、本発明の好ましい実施形態によるコマンド情報告知装置が適用されるＡＶアンプ１について、図面を参照して具体的に説明するが、本発明はこれらの実施形態には限定されない。本実施形態において、コンテンツデータとは、映像データ（画像データ）および／または音声データの総称である。
【００１６】
図１は、ＡＶアンプ１およびコンテンツ再生装置２０、３０を示す概略ブロック図であり、図２は、ＡＶアンプ１及びリモコン送信機４０を示す概略外観図である。ＡＶアンプ１は、１又は複数の入力端子ＩＮ１〜ＩＮ３を有する。入力端子ＩＮ１〜ＩＮ３は、音声入力端子（デジタル又はアナログ）、映像入力端子（デジタル又はアナログ）、および／または、ＨＤＭＩ入力端子等である。本例では、入力端子ＩＮ１〜ＩＮ３は音声入力端子である。その他の映像入力端子やＨＤＭＩ入力端子の記載は、説明を簡単化するために省略している。同様に、映像データを処理する部分や映像データを出力する部分についても、説明を簡単化するために記載を省略している。
【００１７】
本例では、入力端子ＩＮ１にＣＤプレーヤ３０が接続され、入力端子ＩＮ２にブルーレイプレーヤ２０が接続されている。ＣＤプレーヤ３０や、ブルーレイプレーヤ２０は、コンテンツ再生装置の一例であり、コンテンツデータを再生し、ＡＶアンプ１に供給する。コンテンツ再生装置は、他に、ＴＶチューナやゲーム機、デジタルビデオカメラ等であってもよい。
【００１８】
ＡＶアンプ１は、制御部２と、ＲＯＭ及びＲＡＭ等のメモリ３と、通信部４と、セレクタスイッチ５と、アンプ６と、操作部７と、表示部８と、リモコン受信部９とを備える。
【００１９】
制御部２は、メモリ３に格納されているＡＶアンプ１の動作プログラム（コマンド情報告知プログラム等）に基づいて、ＡＶアンプ１の各部を制御部するものであり、マイコンやＣＰＵ等である。
【００２０】
メモリ３には、図３に示すコマンドリストが予め格納されている。コマンドリストは、後述する操作部７の操作ボタン、および／または、リモコン送信機４０の操作ボタンがユーザによって操作された際に、制御部２に入力されるコマンドの情報の一覧である。つまり、ＡＶアンプ１が当該コマンドに応じて処理を実行する、又は、コンテンツ再生装置にコマンドを転送するコマンドの情報の一覧である。図３の場合には、ＡＶアンプ１は、「再生」、「停止」、「一時停止」、「早送り」、「早戻し」、「スキップアップ」、「スキップダウン」、「カーソルアップ」、「カーソルダウン」、「決定」、「戻る」、「設定」の各コマンドに対応している。
【００２１】
通信部４は、コンテンツ再生装置（ブルーレイプレーヤ２０、ＣＤプレーヤ３０）の通信部２４、３４との間で、コマンドおよび／または情報を送受信するものである。つまり、通信部４は、制御部２からのコマンドをブルーレイプレーヤ２０の通信部２４、又は、ＣＤプレーヤ３０の通信部３４に送信する。また、通信部４は、ブルーレイプレーヤ２０、又は、ＣＤプレーヤ３０から送信されたコマンドリストを受信し、メモリ３に保存する。通信部４は、通信部２４、３４と、ＨＤＭＩ、ＩＥＥＥ１３９４、ＵＳＢ、ＬＡＮ等の任意の通信規格に従って通信する。
【００２２】
セレクタスイッチ５は、ユーザ操作による入力セレクタの選択に応じて、入力端子ＩＮ１〜ＩＮ３のいずれか（つまり、入力端子ＩＮ１〜ＩＮ３に接続されたコンテンツ再生装置から送信されるコンテンツデータのいずれか）を選択する。例えば、入力端子ＩＮ１はＣＤセレクタに割当てられ、入力端子ＩＮ２はブルーレイセレクタに割当てられている。この場合、ユーザ操作によってＣＤセレクタが選択されると、セレクタスイッチ５は、入力端子ＩＮ１を選択する。ブルーレイセレクタが選択されると、セレクタスイッチ５は、入力端子ＩＮ２を選択する。
【００２３】
アンプ６は、セレクタスイッチ５によって選択された入力端子ＩＮから供給される音声データを増幅して、外部に接続されるスピーカー７０から音声を出力させる。
【００２４】
操作部７は、ユーザ操作が入力されるものであり、ＡＶアンプ１の筐体に設けられた操作ボタン等である。図２に示すように、操作部７は、入力セレクタを選択するためのセレクタボタン７Ａ〜７Ｃ等を含む。また、図３のコマンドリスト内のコマンドに対応する操作ボタンが設けられていてもよい。
【００２５】
表示部８は、図４に示すように、コマンド情報告知メッセージ（詳細後述）を制御部２の指示によって表示するものであり、ＦＬ管またはＬＣＤ等が採用される。
【００２６】
リモコン受信部９は、リモコン送信機４０から送信されたリモコンコマンドを受信し、受信したコマンドを制御部２に送信する。リモコン信号は、例えば赤外線や、Bluetooth（登録商標）等によって送受信される。図２に示すように、リモコン送信機４０は、入力セレクタを選択するためのセレクタボタンや、図３のコマンドリスト内のコマンドに対応する操作ボタン（再生ボタンや停止ボタン等）が設けられていている。
【００２７】
ブルーレイプレーヤ２０は、制御部２２と、ＲＯＭ、ＲＡＭ等のメモリ２３と、通信部２４と、再生部２５と、操作部２６と、表示部２７と、出力端子ＯＵＴ（例えば音声出力端子）とを備える。
【００２８】
制御部２２は、メモリ２３に格納されたブルーレイプレーヤ２０の動作プログラムに基づいて、ブルーレイプレーヤ２０の各部を制御するものであり、マイコンやＣＰＵ等である。
【００２９】
メモリ２３には、図５に示すコマンドリストが予め格納されている。コマンドリストは、ブルーレイプレーヤ２０が処理を実行することができるコマンドの情報の一覧である。コマンドリストに記述されているコマンドをＡＶアンプ１から受信した場合、ブルーレイプレーヤ２０は受信したコマンドに対応する動作を実行することができる。
【００３０】
通信部２４は、ＡＶアンプ１の通信部４との間で、コマンドおよび／または情報等を送受信する。再生部２４は、ブルーレイディスクを再生し、音声データや映像データ等のコンテンツデータをＡＶアンプ１に送信する。
【００３１】
制御部２２は、ＡＶアンプ１の制御部２からコマンドリストの送信要求を受信すると、メモリ２３に記憶されているブルーレイプレーヤのコマンドリスト（コマンドの情報）を、通信部２４を介して、ＡＶアンプ１の制御部２に送信する。また、制御部２２は、ＡＶアンプ１の制御部２からコマンドを受信すると、コマンドに対応した処理を実行可能な場合、コマンドに応じた処理を実行する。
【００３２】
ＣＤプレーヤ３０は、制御部３２と、ＲＯＭ、ＲＡＭ等のメモリ３３と、通信部３４と、再生部３５と、操作部３６と、表示部３７と、出力端子ＯＵＴ（例えば音声出力端子）とを備える。
【００３３】
制御部３２は、メモリ３３に格納されたＣＤプレーヤ３０の動作プログラムに基づいて、ＣＤプレーヤ３０の各部を制御するものであり、マイコンやＣＰＵ等である。
【００３４】
メモリ３３には、図６に示すコマンドリストが予め格納されている。コマンドリストは、ＣＤプレーヤ３０が処理を実行することができるコマンドの情報の一覧である。コマンドリストに記述されているコマンドをＡＶアンプ１から受信した場合、ＣＤプレーヤ３０は受信したコマンドに対応する動作を実行することができる。
【００３５】
通信部３４は、ＡＶアンプ１の通信部４との間で、コマンドおよび／または情報等を送受信する。再生部３５は、ＣＤを再生し、音声データ等のコンテンツデータをＡＶアンプ１に送信する。
【００３６】
制御部３２は、ＡＶアンプ１の制御部２からコマンドリストの送信要求を受信すると、メモリ３３に記憶されているＣＤプレーヤのコマンドリスト（コマンドの情報）を、通信部３４を介して、ＡＶアンプ１の制御部２に送信する。また、制御部３２は、ＡＶアンプ１の制御部２からコマンドを受信すると、コマンドに対応した処理を実行可能であれば、コマンドに応じた処理を実行する。
【００３７】
ＡＶアンプ１の制御部２は、ユーザ操作によって入力セレクタを選択する指示が入力されると、選択された入力セレクタに対応する入力端子ＩＮをセレクタスイッチ５に選択させ、かつ、選択された入力セレクタに対応するコンテンツ再生装置に対して、コマンドリスト（コマンドの情報）を送信するように要求する。ここで、入力セレクタの選択とは、操作部７やリモコン送信機４０のセレクタボタンの操作、又は、入力セレクタの変更を伴う操作ボタンの操作（例えばＣＤ再生ボタン等）である。
【００３８】
入力セレクタがブルーレイプレーヤ２０に選択された場合、制御部２は、ブルーレイプレーヤ２０のコマンドリストを取得し、メモリ３に保存する。制御部２は、ブルーレイプレーヤ２０のコマンドリスト（コマンドの情報）と、ＡＶアンプ１のコマンドリスト（コマンドの情報）とを対比し、双方に共通する操作内容を抽出して、図７に示すようにメモリ３に保存して管理する。そして、制御部２は、ブルーレイプレーヤ２０のコマンドリストと、ＡＶアンプ１のコマンドリストとで共通する操作内容を表示部８に表示させることによって（図４参照）、ユーザに告知する。なお、表示部８に表示させる代わりに、ＯＳＤ（オンスクリーンディスプレイ）画面を生成し、外部に接続されるディスプレイ装置（液晶ＴＶ等）に表示させてもよい。従って、ユーザは、表示内容を参照することによって、別途取扱説明書を見る必要なく、ブルーレイプレーヤ２０を操作可能なコマンド（操作ボタン）を知ることができる。
【００３９】
入力セレクタがＣＤプレーヤ３０に選択された場合、制御部２は、ＣＤプレーヤ３０のコマンドリストを要求して受信し、メモリ３に保存する。制御部２は、ＣＤプレーヤ３０のコマンドリスト（コマンドの情報）と、ＡＶアンプ１のコマンドリスト（コマンドの情報）とを対比し、双方に共通する操作内容を抽出して、図８に示すようにメモリ３に保存して管理する。そして、制御部２は、ＣＤプレーヤ３０のコマンドリストと、ＡＶアンプ１のコマンドリストとで共通する操作内容を表示部８に表示させることによって、ユーザに告知する。従って、ユーザは、表示内容を参照することによって、別途取扱説明書を見る必要なく、ＣＤプレーヤ３０を操作可能なコマンド（操作ボタン）を知ることができる。
【００４０】
以下、本発明の動作を説明する。図９は、ＡＶアンプ１の制御部２、および、コンテンツ再生装置の制御部の各処理を示すフローチャートである。ＡＶアンプ１の制御部２は、ユーザ操作によって、入力セレクタが変更される指示が入力されたか否かを判断している（Ｓ１）。入力セレクタが変更される指示が入力された場合（Ｓ１でＹＥＳ）、例えば、ブルーレイセレクタが選択された場合、制御部２は、入力セレクタをブルーレイセレクタに切換える（Ｓ２）。すなわち、制御部２は、セレクタスイッチ５に、ブルーレイプレーヤ２０が接続されている入力端子ＩＮ２を選択させる。
【００４１】
制御部２は、選択されている入力セレクタに対応するコンテンツ再生装置（本例ではブルーレイプレーヤ２０）にコマンドリスト（コマンドの情報）を送信するように要求する（Ｓ３）。ブルーレイプレーヤ２０の制御部２２は、ＡＶアンプ１からの要求に応じて、メモリ２３からコマンドリスト（コマンドの情報）を取得し、ＡＶアンプ１の制御部２に送信する（Ｓ１１）。ＡＶアンプ１の制御部２は、ブルーレイプレーヤ２０からコマンドリストを受信すると、メモリ３に記憶させる（Ｓ３）。
【００４２】
制御部２は、ＡＶアンプ１のコマンドリスト（図３）と、ブルーレイプレーヤ２０のコマンドリスト（図５）とを対比する（Ｓ４）。そして、制御部２は、双方に共通する操作内容を抽出し、図７に示すようにメモリ３に記憶させる（Ｓ５）。図７の例では、「再生」、「停止」、「一時停止」、「早送り」、「早戻し」、「スキップアップ」、「スキップダウン」、「決定」、「戻る」、「設定」が、双方に共通する操作内容である。
【００４３】
制御部２は、図４に示すように、ＡＶアンプ１のコマンドリストと、ブルーレイプレーヤ２０のコマンドリストとで共通する操作内容（図７）を表示部４に表示させる（Ｓ５）。従って、ユーザは、表示内容を参照することによって、別途取扱説明書を見る必要なく、ブルーレイプレーヤ２０を操作可能なコマンド（操作ボタン）を知ることができる。
【００４４】
例えば、ユーザが表示内容を参照し、リモコン送信機４０の再生ボタンを操作すると、ＡＶアンプ１の制御部２は、再生コマンドをリモコン送信機４０から受信し、通信部４を介して、ブルーレイプレーヤ２０に再生コマンドを送信する。ブルーレイプレーヤ２０の制御部２２は、ＡＶアンプ１から再生コマンドを受信すると、再生コマンドに応答し、ブルーレイディスクの再生を開始する。
【００４５】
なお、ＡＶアンプ１のコマンドリストと、ブルーレイプレーヤ２０のコマンドリストとで共通する操作内容以外の操作ボタンが操作された場合、制御部２は、当該操作が無効であることを表示部８に表示させてもよい。この処理を図１０のフローチャートに示す。
【００４６】
制御部２は、リモコン送信機４０からリモコンコマンドを受信した場合（Ｓ６でＹＥＳ）、選択されている入力セレクタに対応するコンテンツ再生装置が当該リモコンコマンドに応答して処理を実行できるか否かを判断する（Ｓ７）。つまり、入力されたコマンドが、ＡＶアンプ１のコマンドリストと、ブルーレイプレーヤ２０のコマンドリストとで共通する操作内容であるか否かを判断する。例えば、入力セレクタがブルーレイセレクタである場合、受信したリモコンコマンドの操作内容が、図７に示す、ＡＶアンプ１のコマンドリストと、ブルーレイプレーヤ２０のコマンドリストとで共通する操作内容に含まれているか否かを判断する。
【００４７】
例えば、受信したリモコンコマンドが再生コマンドであれば、図７に示すようにＡＶアンプ１のコマンドリストと、ブルーレイプレーヤ２０のコマンドリストとで共通する操作内容に含まれているので（Ｓ７でＹＥＳ）、制御部２は、入力セレクタで選択されているコンテンツ再生装置（ブルーレイプレーヤ２０）に再生コマンドを送信する（Ｓ８）。ブルーレイプレーヤ２０の制御部２２は、ＡＶアンプ１から再生コマンドを受信すると、再生コマンドに応答し、ブルーレイディスクの再生を開始する。
【００４８】
例えば、受信したリモコンコマンドがカーソルアップコマンドであれば、図７に示すようにＡＶアンプ１のコマンドリストと、ブルーレイプレーヤ２０のコマンドリストとで共通する操作内容に含まれていない（Ｓ７でＮＯ）。つまり、カーソルアップコマンドは、ＡＶアンプ１のコマンドリスには含まれているが、ブルーレイプレーヤ２０のコマンドリストには含まれていない。従って、ブルーレイプレーヤ２０は、カーソルアップコマンドをＡＶアンプ１から受信しても処理を実行できないと判断される。
【００４９】
従って、制御部２は、入力セレクタで選択されているコンテンツ再生装置（ブルーレイプレーヤ２０）にカーソルアップコマンドを送信しない。そして、制御部２は、カーソルアップコマンド（ボタン）では、ブルーレイプレーヤ２０を操作できないことを、表示部８に表示し、ユーザに告知する（Ｓ９）。これにより、ユーザは、自分が誤ったボタンを操作してしまったことを認識することができ、いずれかの機器が故障しているとユーザが誤解することを防止することができる。
【００５０】
次に、本発明の別の好ましい実施形態を説明する。本例では、図１１に示すように、ＡＶアンプ１のコマンドリストと、ブルーレイプレーヤ２０のコマンドリストとで共通する操作内容を表示部８に表示する代わりに、この情報をリモコン送信機４０に送信する（Ｓ６）。この場合、リモコン送信機４０は、双方向タイプのものが採用され、赤外線、Bluetooth、又は、ＬＡＮ等のネットワーク経由でＡＶアンプ１からこの情報を受信することができる。
【００５１】
リモコン送信機４０は、ＡＶアンプ１のコマンドリストと、ブルーレイプレーヤ２０のコマンドリストとで共通する操作内容をＡＶアンプ１から受信すると、操作内容に対応するボタンを発光（例えばＬＥＤを発光）させることによって、選択された入力セレクタに対応するコンテンツ再生装置が処理を実行することができるコマンド（ボタン）を、ユーザに告知する（Ｓ３１）。例えば、リモコン送信機４０の再生ボタンや停止ボタンが発光される。
【００５２】
もしくは、リモコン送信機４０は、ＡＶアンプ１のコマンドリストと、ブルーレイプレーヤ２０のコマンドリストとで共通する操作内容をＡＶアンプ１から受信すると、共通する操作内容をリモコン送信機４０に設けられた図示しない表示部に表示させることによって、選択された入力セレクタに対応するコンテンツ再生装置を操作することができるコマンド（ボタン）を、ユーザに告知してもよい。
【００５３】
以上、本発明の好ましい実施形態を説明したが、本発明はこれらの実施形態には限定されない。図７や図８に示す、コンテンツ再生装置とＡＶアンプとで共通するコマンドの情報をコンテンツ再生装置がＡＶアンプから接続解除するまでの期間保持しておいてもよく、その場合、入力セレクタを切換えるたびに毎回、コンテンツ再生装置からコマンドリストを取得する必要がなくなる。本発明は、ＡＶアンプだけでなく、複数の入力端子を有するＴＶ受像機などのディスプレイ装置にも適用することができる。コマンド情報告知装置の上記動作をコンピュータに実行させるためのプログラムおよびこれを記録した記録媒体という形態で提供されてもよい。
【産業上の利用可能性】
【００５４】
本発明は、ＡＶアンプ等に好適に採用され得る。
【符号の説明】
【００５５】
１              ＡＶアンプ
２              制御部
３              メモリ
４              通信部
５              セレクタスイッチ
６              アンプ
７              操作部
８              表示部
９              リモコン受信部
２０            ブルーレイプレーヤ（コンテンツ再生装置）
３０            ＣＤプレーヤ（コンテンツ再生装置）
４０            リモコン送信機
【図１】
0005585370.tif 000002
【図２】
0005585370.tif 000003
【図３】
0005585370.tif 000004
【図４】
0005585370.tif 000005
【図５】
0005585370.tif 000006
【図６】
0005585370.tif 000007
【図７】
0005585370.tif 000008
【図８】
0005585370.tif 000009
【図９】
0005585370.tif 000010
【図１０】
0005585370.tif 000011
【図１１】
0005585370.tif 000012